(57)【特許請求の範囲】
【請求項１】
車載カメラシステムへのユーザのログイン情報を介して、前記車載カメラシステムと前記ユーザが装着可能なウェアラブルカメラとをリンクさせる車載カメラシステムへのログイン認証装置であって、
前記車載カメラシステム又は前記ウェアラブルカメラとの間で通信する通信部と、
前記ユーザの前記車載カメラシステムへのログインを認証する認証部と、
前記認証部により前記ログインが許可されると、前記ユーザの識別情報を含む前記ログイン情報を保存する記憶部と、を備え、
前記通信部は、前記ユーザが前記車載カメラシステムにログイン中である場合に、前記記憶部に保存されている前記ログイン情報を前記ウェアラブルカメラに転送してコピーさせ、
前記ログイン情報は、前記ウェアラブルカメラにより撮像された映像データのメタデータとして付与される、
車載カメラシステムへのログイン認証装置。
【請求項２】
請求項１に記載の車載カメラシステムへのログイン認証装置であって、
前記認証部は、前記ユーザの前記車載カメラシステムからのログアウト、又は前記ウェアラブルカメラが撮像した映像データの外部装置への転送の終了に応じて、前記ウェアラブルカメラに記憶された前記ログイン情報を削除する、
車載カメラシステムへのログイン認証装置。
【請求項３】
請求項１に記載の車載カメラシステムへのログイン認証装置であって、
前記ログイン情報が前記記憶部に保存されていない場合に、前記ウェアラブルカメラにおける撮像又は前記ウェアラブルカメラが撮像した映像データの外部装置への転送を前記ウェアラブルカメラに禁止させる制御部、を更に備える、
車載カメラシステムへのログイン認証装置。
【請求項４】
車載カメラシステムへのユーザのログイン情報を介して、前記車載カメラシステムと前記ユーザが装着可能なウェアラブルカメラとをリンクさせる車載カメラシステムへのログイン認証装置におけるログイン認証方法であって、
前記車載カメラシステムへのログイン認証装置は、記憶部を有し、
前記車載カメラシステム又は前記ウェアラブルカメラとの間で通信するステップと、
前記ユーザの前記車載カメラシステムへのログインを認証するステップと、
前記ログインが前記認証により許可されると、前記ユーザの識別情報を含む前記ログイン情報を前記記憶部に保存するステップと、
前記ユーザが前記車載カメラシステムにログイン中である場合に、前記記憶部に保存されている前記ログイン情報を、前記ウェアラブルカメラに転送してコピーさせるステップと、を実行し、
前記ログイン情報は、前記ウェアラブルカメラにより撮像された映像データのメタデータとして付与される、
ログイン認証方法。
【発明の詳細な説明】
【技術分野】
【０００１】
本発明は、撮像装置（例えばウェアラブルカメラ）を認証する車載カメラシステムへのログイン認証装置、及びログイン認証方法に関する。
【背景技術】
【０００２】
近年、例えば警察官や警備員の業務を支援するために、警察官や警備員に装着されて使用される撮像装置（例えばウェアラブルカメラ）の導入が検討されている。
【０００３】
ここで、カメラ付き懐中電灯である端末機器を用いた認証システムとして、例えば特許文献１に記載された認証システムがある。
【０００４】
特許文献１に示す認証システムは、カメラ付き懐中電灯である端末機器と、端末機器の充電機能を有するクレードルと、クレードルに接続されたＰＣ（パーソナルコンピュータ）とを有する。警備の巡回パトロールを始めようとする警備員は、まず個人認証情報の入力を含む認証作業を実施した後、端末機器をクレードルから抜き取る。この抜き取りに応答して、端末機器にて録画処理が開始され、ＰＣに接続された外部機器に対してＰＣから認証結果データを含む警備開始通知メールが送信される。警備員は、巡回を終えて端末機器をクレードルに戻すと、警備終了通知メールがＰＣから外部機器に送信される。端末機器の録画処理の終了後、撮像画像データはＰＣ内の主記録媒体に転送される。
【先行技術文献】
【特許文献】
【０００５】
【特許文献１】特開２０１４−１４６１８４号公報
【発明の概要】
【発明が解決しようとする課題】
【０００６】
しかし、特許文献１の構成では、ＰＣにおいて警備員（ユーザ）は認証されているが、撮像機能を有する端末機器が複数設けられている場合には、どの端末機器がユーザにより持ち出されたかが分からないので、端末機器により録画された映像がどのユーザにより撮影されたか分からないという課題があった。
【０００７】
本発明は、上述した課題を解決するために、撮像された映像と映像を撮像したユーザとの関係性を明確にし、映像を撮像したユーザが誰であるかを第三者に対して的確に示す車載カメラシステムへのログイン認証装置、及びログイン認証方法を提供することを目的とする。
【課題を解決するための手段】
【０００８】
本発明は、車載カメラシステムへのユーザのログイン情報を介して、前記車載カメラシステムと前記ユーザが装着可能なウェアラブルカメラとをリンクさせる車載カメラシステムへのログイン認証装置であって、前記車載カメラシステム又は前記ウェアラブルカメラとの間で通信する通信部と、前記ユーザの前記車載カメラシステムへのログインを認証する認証部と、前記認証部により前記ログインが許可されると、前記ユーザの識別情報を含む前記ログイン情報を保存する記憶部と、を備え、前記通信部は、前記ユーザが前記車載カメラシステムにログイン中である場合に、前記記憶部に保存されている前記ログイン情報を前記ウェアラブルカメラに転送してコピーさせ、前記ログイン情報は、前記ウェアラブルカメラにより撮像された映像データのメタデータとして付与される、車載カメラシステムへのログイン認証装置である。
【０００９】
また、本発明は、車載カメラシステムへのユーザのログイン情報を介して、前記車載カメラシステムと前記ユーザが装着可能なウェアラブルカメラとをリンクさせる車載カメラシステムへのログイン認証装置におけるログイン認証方法であって、前記車載カメラシステムへのログイン認証装置は、記憶部を有し、前記車載カメラシステム又は前記ウェアラブルカメラとの間で通信するステップと、前記ユーザの前記車載カメラシステムへのログインを認証するステップと、前記ログインが前記認証により許可されると、前記ユーザの識別情報を含む前記ログイン情報を前記記憶部に保存するステップと、前記ユーザが前記車載カメラシステムにログイン中である場合に、前記記憶部に保存されている前記ログイン情報を前記ウェアラブルカメラに転送してコピーさせるステップと、を実行し、前記ログイン情報は、前記ウェアラブルカメラにより撮像された映像データのメタデータとして付与される、ログイン認証方法である。
【発明の効果】
【００１１】
本発明によれば、撮像された映像と映像を撮像したユーザとの関係性を明確にすることができ、映像を撮像したユーザが誰であるかを第三者に対して的確に示すことができる。
【図面の簡単な説明】
【００１２】
【図１】警察のパトカーに設置された既存の車載カメラシステムの概要と車載カメラシステムにより撮像された映像データの使用に関する説明図
【図２】本実施形態の認証システムのシステム構成の一例を示すブロック図
【図３】本実施形態のウェアラブルカメラの内部構成の一例を示すブロック図
【図４】（Ａ）本実施形態のウェアラブルカメラの筐体の外観の一例を示す図、（Ｂ）本実施形態のウェアラブルカメラの筐体の外観の他の一例を示す図、（Ｃ）本実施形態のウェアラブルカメラの筐体を載置する外付けアダプタの筐体の外観の一例を示す図
【図５】本実施形態の認証システムのログイン処理後の動作概要の一例を示す説明図
【図６】本実施形態の認証システムのログアウト処理後の動作概要の一例を示す説明図
【図７】ログイン情報の一例を示す図
【図８】本実施形態のＰＣの動作手順の一例を説明するフローチャート
【図９】イベントリストの一例を示す図
【発明を実施するための形態】
【００１３】
以下、本発明に係る認証装置、認証方法及び認証システムを具体的に開示した実施形態（以下、「本実施形態」という）について、図面を参照して詳細に説明する。本実施形態では、本発明に係る認証装置の一例として、容易に持ち運び可能なラップトップ型のＰＣ（パーソナルコンピュータ）を用いて説明するが、認証装置はラップトップ型のＰＣに限定されず、例えばスマートフォン、携帯電話機、タブレット端末、ＰＤＡ（Personal Digital Assistant）等の入力部や認証部のある認証可能な無線通信装置であればよい。
【００１４】
本実施形態の認証装置の一例としてのＰＣは、所定の車載システム（例えば車載カメラシステム。以下同様。）との間、又はユーザ（例えば警察官。以下同様。）が装着可能なウェアラブルカメラとの間で通信し、ユーザの所定の車載システムへのログインを認証する。また、ＰＣは、ログインが認証されたユーザの識別情報を含むログイン情報を保存し、更に、ユーザが所定の車載システムにログイン中である場合には、保存されるログイン情報をウェアラブルカメラに転送してコピーさせ、一方、ユーザが所定の車載システムにログインしていない場合には、ログイン情報をウェアラブルカメラに転送しない。
【００１５】
なお、本実施形態の認証システム１００は、例えば警察署において使用される場合を想定して説明するが、ユーザは警察官に限定されず、その他様々な事業所（例えば、警備会社）において使用されてもよい。
【００１６】
図１は、警察のパトカーに設置された既存の車載カメラシステムの概要と車載カメラシステムＩＣにより撮像された映像データの使用に関する説明図である。図１に示す車載カメラシステムは、パトカー内に設置され、車載ビデオレコーダＩＶＲとビデオカメラ（不図示）と外付けストレージＳＳＤ（例えばハードディスクドライブ又はソリッドステートドライブ）とを含む構成である。車載カメラシステムは、ビデオカメラにより撮像された画像からなる映像のデータファイルを生成して車載ビデオレコーダＩＶＲ（又は、必要に応じて外付けストレージＳＳＤ）に保存して蓄積する。
【００１７】
図１において、警察官は、所定の用件（例えばパトロール）で警察署から出動する際、警察署内からＰＣ１ｚを持ち出して、パトカー内に設置された車載カメラシステムとの間で通信可能に接続する。ＰＣ１ｚは、警察官の操作に応じて、パトロール中に撮像された映像のデータファイルを車載ビデオレコーダＩＶＲに蓄積し、パトロールが終了してパトカーが警察署に戻った際には、有線、無線又は手動（例えば記憶媒体の持ち運び）により、車載ビデオレコーダＩＶＲ（又は、必要に応じて外付けストレージＳＳＤ）に蓄積された映像のデータファイルを、バックエンドサーバＳＶ（例えば警察署内に設置された所定のサーバ装置）に転送する。
【００１８】
図１に示すフロントエンドシステムは、現場の最前線に出動する警察官が乗用するパトカーと、パトカー内に設置された車載カメラシステムとを含む構成であり、例えばパトカーが到着した現場の映像をビデオカメラ（不図示）により撮像し、撮像された映像のデータファイルを車載ビデオレコーダＩＶＲ（又は、必要に応じて外付けストレージＳＳＤ）に保存して蓄積する。
【００１９】
図１に示すバックエンドシステムは、警察署内に設置されたバックエンドサーバＳＶと、フロントエンドシステムとの通信を行うための管理ソフトウェアと、バックエンドサーバＳＶにストレージとして接続された外付けハードディスク（ＨＤＤ）とを含む構成であり、例えばフロントエンドシステムから転送された映像のデータファイルを蓄積する。バックエンドシステムに蓄積された映像のデータファイルは、例えば警察署内の関係部署の担当者により利用され、必要に応じて、所定の記憶媒体（例えばＤＶＤ：Digital Versatile Disk）に映像のデータがコピーされて、所定のシーン（例えば裁判）において証拠品として提出される。
【００２０】
本実施形態では、図１に示すフロントエンドシステム（つまり、車載カメラシステム）に対し、現場の証拠映像をより的確に取得及び保存するために、例えば警察官が装着可能な撮像装置の一例としてのウェアラブルカメラ２（図４（Ａ）及び（Ｂ）参照）が更に付加された場合を想定する。ここで、ウェアラブルカメラ２には、入力端子が設けられていないので、どの警察官がどのウェアラブルカメラ２を持ち出したかを適正に管理しないと、例えば裁判の証拠資料として提出された場合に、法廷内のモニタ（不図示）に映し出される映像がどの警察官により撮像されたものかを特定することが困難となり、証拠としての信頼性が低下する。
【００２１】
そこで、以下の本実施形態では、フロントエンドシステムにおいて撮像された映像とその映像を撮像した警察官との関係性を明確に保証し、映像を撮像した警察官が誰であるかを第三者に対しても的確に示す認証装置の一例としてのＰＣ１を説明する。
【００２２】
図２は、本実施形態の認証システム１００のシステム構成の一例を示すブロック図である。図２に示す認証システム１００は、ＰＣ（パーソナルコンピュータ）１と、ウェアラブルカメラ２（ＷＣＡＭ：Wearable CAMera）と、車載ビデオレコーダＩＶＲと、ビデオカメラＶＣと、サーバ装置ＳＶとを含む構成である。ＰＣ１、ウェアラブルカメラ２、車載ビデオレコーダＩＶＲ及びビデオカメラＶＣは、図１に示すフロントエンドシステムに設けられ、サーバ装置ＳＶは図１に示すバックエンドシステムに設けられる。
【００２３】
認証装置の一例としてのＰＣ１は、ＣＰＵ１１と、Ｉ／Ｏ制御部１２と、通信部１３と、メモリ１４と、入力部１５と、表示部１６と、スピーカ１７とを含む構成である。ＰＣ１は、フロントエンドシステムのウェアラブルカメラ２、車載ビデオレコーダＩＶＲとそれぞれ通信可能であり、更に、バックエンドシステムのサーバ装置ＳＶとも通信可能である。
【００２４】
ＣＰＵ１１は、ＰＣ１の各部の動作を全体的に統括するための制御処理、他の各部との間のデータのＩ／Ｏ制御部１２を介した入出力処理、データの演算（計算）処理及びデータの記憶処理を行う。例えば認証部の一例としてのＣＰＵ１１は、表示部１６に表示された車載カメラシステムＩＣへのログイン画面（不図示）に対するユーザの入力操作により、ユーザの車載カメラシステムＩＣへのログインの可否を認証する（ユーザ認証を行う）。ユーザの入力操作は、例えば、ＩＤ（ユーザの識別情報）とパスワード等を入力する操作である。ログインが許可される対象となるユーザに関する各種情報は、例えばメモリ１４に予め保存されており、ＣＰＵ１１は、メモリ１４に予め保存されているログインの許可対象の情報を用いて、ユーザの車載カメラシステムＩＣへのログインの可否を認証（判断）する。なお、ログインは、ＰＣ１を介した車載カメラシステムＩＣへのログインでもよいし、ＰＣ１に搭載された車載カメラシステムＩＣを操作するアプリケーションへのログインでもよい。
【００２５】
Ｉ／Ｏ制御部１２は、ＣＰＵ１１とＰＣ１の各部（具体的には、通信部１３、入力部１５、表示部１６、スピーカ１７）との間でデータの入出力に関する制御を行い、ＣＰＵ１１からのデータ及びＣＰＵ１１へのデータの中継を行う。なお、Ｉ／Ｏ制御部１２は、ＣＰＵ１１と一体的に構成されてもよい。
【００２６】
通信部１３は、例えばパトカー内に設置された車載カメラシステムＩＣとの間、又はユーザが装着可能なウェアラブルカメラ２との間で、有線又は無線による通信を行う。通信部１３は、ユーザが車載カメラシステムＩＣにログイン中である場合には、メモリ１４に保存されるログイン情報（図７参照）をウェアラブルカメラ２に転送してコピーさせ、一方、ユーザが車載カメラシステムＩＣにログインしていない場合には、ログイン情報をウェアラブルカメラ２に転送しない。
【００２７】
記憶部の一例としてのメモリ１４は、例えばＲＡＭ（Random Access Memory）、ＲＯＭ（Read Only Memory）、不揮発性又は揮発性の半導体メモリを用いて構成され、ＣＰＵ１１の動作時のワークメモリとして機能し、更に、ＣＰＵ１１を動作させるための所定のプログラム及びデータを保存している。また、メモリ１４は、車載カメラシステムＩＣへのログインが許可されるユーザに関する各種情報（例えば「Officer ID」）を保存し、ＣＰＵ１１により車載カメラシステムＩＣへのログインが許可（認証）されたユーザの識別情報を含むログイン情報（図７参照）を保存する。
【００２８】
図７は、ログイン情報の一例を示す図である。図７に示すログイン情報は、「Officer ID」と、「Officer Name」と、「Vehicle ID」と、「Area」と、「Shiftwork pattern」と、「Unit」と、「Agency」との各項目に対応する実際のデータにより構成される。「Officer ID」は、ログインが許可されたユーザ（つまり、ログインしている警察官）の識別情報を示す。「Officer Name」は、ログインしている警察官の名前を示す。「Vehicle ID」は、使用中のパトカーの識別番号を示す。「Area」は、警察官がパトロールしているエリアの名称を示す。「Shiftwork pattern」は、警察官の勤務シフトのパターンを示す。「Unit」は、警察官の所属部署を示す。「Agency」は、警察官の勤める警察署の名称を示す。ログイン情報に「Officer ID」以外に「Officer Name」と、「Vehicle ID」と、「Area」と、「Shiftwork pattern」と、「Unit」と、「Agency」を設けることで、例えばバックエンドシステムにおいて、ユーザは、各項目を検索キーとして用いることで、所望のイベントリストＥＶＬ（図９参照）を検索しやすくすることができる。
【００２９】
入力部１５は、ユーザの入力操作を受け付け、Ｉ／Ｏ制御部１２を介してＣＰＵ１１に通知するためのユーザインターフェース（ＵＩ：User Interface）であり、例えばマウス、キーボード等のポインティングデバイスである。また、入力部１５は、例えば表示部１６の画面に対応して配置され、ユーザの指又はスタイラスペンによって操作が可能なタッチパネル又はタッチパッドを用いて構成されても良い。
【００３０】
表示部１６は、例えばＬＣＤ（Liquid Crystal Display）又は有機ＥＬ（Electroluminescence）を用いて構成され、例えばユーザの入力操作に応じて、車載カメラシステムＩＣへのログイン画面（不図示）を画面に表示する。また、表示部１６は、例えばユーザの入力操作に応じて、ウェアラブルカメラ２により撮像（録画）された映像データが入力された場合には、ＣＰＵ１１の指示の下で、映像データに含まれる映像を画面に表示する。
【００３１】
スピーカ１７は、例えばユーザの入力操作に応じて、ウェアラブルカメラ２により撮像（録画）された音声を含む映像データが入力された場合には、ＣＰＵ１１の指示の下で、映像データに含まれる音声を出力する。なお、表示部１６及びスピーカ１７は、ＰＣ１とは別々の構成としてもよい。
【００３２】
車載ビデオレコーダＩＶＲは、ＰＣ１及びビデオカメラＶＣとの間で通信可能に接続され、車載カメラシステムＩＣにログインが許可（認証）されたユーザの入力操作に応じて、ビデオカメラＶＣにより撮像された映像のデータファイルをＰＣ１に転送し、又は車載ビデオレコーダＩＶＲ自身に保存して蓄積する。なお、本実施形態の認証システム１００では、車載ビデオレコーダＩＶＲとビデオカメラＶＣとにより、所定の車載システムの一例としての車載カメラシステムＩＣが構成される。
【００３３】
ビデオカメラＶＣは、例えばパトカーの前方を撮像するためのフロント用カメラ（不図示）と、パトカー内のバックシート（つまり、容疑者を座らせているシート）を撮像するためのバック用カメラ（不図示）とにより構成され、撮像により得られた映像のデータファイルを車載ビデオレコーダＩＶＲに保存して蓄積させる。なお、フロントカメラには、車外の音を収音するマイク（不図示）を備え付けたり、バック用カメラにも、マイクを備え付けたりすることができ、パトカー内の警察官又は容疑者の発する音声も収音（録音）可能である。
【００３４】
サーバ装置ＳＶは、ＰＣ１又はウェアラブルカメラ２から転送された映像のデータファイル（後述参照）を受信し、サーバ装置ＳＶ内のストレージ（不図示）に保存する。サーバ装置ＳＶは、ＰＣ１又はウェアラブルカメラ２から転送された映像のデータファイルを用いて、ウェアラブルカメラ２の識別番号と、映像のデータファイルに含まれるログイン情報のユーザの識別番号（つまり、「Officer ID」（警官ＩＤ））とを含むイベントリストを生成して保存する（図９参照）。
【００３５】
図９は、イベントリストＥＶＬの一例を示す図である。図９に示すイベントリストＥＶＬは、例えば「映像のサムネイル」と、「ソース（出所：本実施形態ではウェアラブルカメラ２又はビデオカメラＶＣ）」と、「ファイルネーム」と、「分類」と、「事件番号」と、「警官ＩＤ」と、「警察署」との各項目に対応する実際のデータを含む。イベントリストＥＶＬは、例えばサーバ装置ＳＶのユーザ（例えば現場に出動した警察官とは異なる部署の担当者（例えば調書を作成する刑事））の入力操作に応じて、サーバ装置ＳＶ又はサーバ装置ＳＶに接続されたディスプレイ装置（不図示）において表示される。
【００３６】
図９に示すイベントリストＥＶＬによれば、ユーザは、例えばウェアラブルカメラ２がウェアラブルカメラ２の識別情報をファイルネームに含めるように映像のデータファイルを生成したり、映像のデータとウェアラブルカメラ２の識別情報を含むメタ情報とを別々のファイルとして生成したりすることで、ウェアラブルカメラ２が撮像した映像とこの映像を撮像した警察官との関連性を画面上で確認することが可能となり、現場でウェアラブルカメラ２を用いて撮像した映像がどの警察官により撮像されたのかを的確に把握することができる。なお、このイベントリストＥＶＬにおいて、見たいイベントがあれば、ユーザは、マウス等を使用して指定することで選択することができる。なお、図９において、二点鎖線で示した部分ＥＶ１は選択されたイベントである。
【００３７】
なお、図９に示すイベントリストＥＶＬの各項目にはログイン情報（図７参照）の各項目に対応する内容が含まれるが、図９ではログイン情報の項目の一部の図示が省略されている。このため、図９には図示が省略されているが、実際に使用されたウェアラブルカメラ２の識別情報を示す項目がイベントリストＥＶＬの項目に含まれることが好ましい。
【００３８】
また、図９に示すイベントリストＥＶＬの各項目のうち一部の項目のデータは、ウェアラブルカメラ２からサーバ装置ＳＶに転送（アップロード）した際に、サーバ装置ＳＶが受信した項目のデータ（ウェアラブルカメラ２により直接入力された項目のデータ）もあれば、サーバ装置ＳＶに転送（アップロード）した後、ＰＣ１を介して入力される項目のデータもある。転送されたデータファイルの改ざんが行われることを防ぐために、バックエンドシステムのサーバ装置ＳＶは、ＰＣ１を介して入力された項目のデータをディスプレイ装置において表示する際、ＰＣ１を介して入力されていない項目のデータとは異なるように識別可能に表示される。これにより、ユーザは、ＰＣ１を介して事後的に入力された項目のデータとウェアラブルカメラ２により直接的に入力（付与）された項目のデータとが識別可能に判別可能となり、撮像された映像と映像を撮像したユーザとの関係性を明確に保証することができる。
【００３９】
図３は、本実施形態のウェアラブルカメラ２の内部構成の一例を示すブロック図である。図４（Ａ）は、本実施形態のウェアラブルカメラ２の筐体の外観の一例を示す図である。図４（Ｂ）は、本実施形態のウェアラブルカメラ２の筐体の外観の他の一例を示す図である。図４（Ｂ）に示すウェアラブルカメラ２の外観では、図４（Ａ）に示すウェアラブルカメラ２の外観の水平１８０度回転させた状態が示されている。
【００４０】
図３に示すウェアラブルカメラ２は、撮像部２１と、ＧＰＩＯ２２（General Purpose Input/Output）と、ＲＡＭ２３と、ＲＯＭ２４と、ＳＤメモリ２５と、ＥＥＰＲＯＭ（Electrically Erasable Programmable Read-Only Memory）２６と、ＲＴＣ（Real Time Clock）２７と、ＧＰＳ（Global Positioning System）２８と、ＭＣＵ２９と、通信部３０と、ＵＳＢ（Universal Serial Bus）３１と、コンタクトターミナル３２と、電源部３３と、バッテリ３４と、録画ボタンＢ１と、スナップショットボタンＢ２と、Ｗ−ＬＡＮボタンＢ３と、３種類のＬＥＤ（Light Emitting Diode）５ａ，５ｂ，５ｃとを含む構成である。
【００４１】
図４（Ａ）及び（Ｂ）に示すように、ウェアラブルカメラ２は、縦長方形状に形成されており、本体正面の上部中央（図４（Ａ）参照）にレンズＬＳが設けられ、ウェアラブルカメラ２の本体上面には録画ボタンＢ１とスナップショットボタンＢ２とが設けられている。また、ウェアラブルカメラ２の本体正面の下部には３種類のＬＥＤ５ａ〜５ｃが等間隔で設けられ、ウェアラブルカメラ２の本体右面にはＷ−ＬＡＮボタンＢ３（例えば、Ｗｉ−ｆｉ（登録商標）を使用可能に制御するためのボタン）とＵＳＢコネクタＵＣとが設けられている。
【００４２】
ウェアラブルカメラ２の本体下面にはクレードル（不図示）又は外付けアダプタＡＰと電気的に接続するためのコンタクトターミナル３２が設けられている。録画ボタンＢ１は、映像の撮像の開始時又は終了時に操作されるボタンであり、奇数回押下されることで動画（映像）の撮像が開始され、偶数回押下されることで動作（映像）の撮像は終了する。スナップショットボタンＢ２は、静止画の撮像を行う時に操作されるボタンである。
【００４３】
ＬＥＤ５ａは、ウェアラブルカメラ２の電源投入状態を示し、電源ボタン（不図示）が押下されることで点灯する。ＬＥＤ５ｂは、ウェアラブルカメラ２の録画状態を示し、録画ボタンＢ１が奇数回押下されることで点灯し、録画ボタンＢ１が偶数回押下されたことで消灯する。ＬＥＤ５ｂは、録画されている間、継続して点灯する。ＬＥＤ５ｃは、Ｗ−ＬＡＮによる無線通信状態を示し、Ｗ−ＬＡＮボタンＢ３が押下されることで点灯する。ＬＥＤ５ｃは、２色点灯が可能なＬＥＤであり、Ｗ−ＬＡＮボタンＢ３の押下によって異なる色で点灯する。即ち、ＬＥＤ５ｃは、１回目の押下によって第１色（例えば赤）で点灯し、２回目の押下によって第２色（例えば緑）で点灯し、３回目の押下によって消灯する。これらの状態がＷ−ＬＡＮボタンＢ３の押下によって繰り返される。つまり、Ｗ−ＬＡＮボタンＢ３の押下毎に第１色点灯→第２色点灯→消灯→第１色点灯→・・・が繰り返される。
【００４４】
ウェアラブルカメラ２には通信に関するモードとして、アクセスポイントモードとステーションモードとが用意されており、Ｗ−ＬＡＮボタンＢ３の押下が行われる毎にアクセスポイントモード→ステーションモード→通信オフモード→アクセスポイントモード…と、各種のモードが順に切り替わる。モードの切り替えに応じてＬＥＤ５ｃの点灯色が変わる。即ち、アクセスポイントモード時には第１色（例えば赤）で点灯し、ステーションモード時には第２色（例えば緑）で点灯する。なお、通信オフ時には消灯する。
【００４５】
ステーションモードとは、例えばＷｉ−ｆｉ（登録商標）の通信時にウェアラブルカメラ２が外部装置（不図示）をアクセスポイントとして通信の接続の確立を要求する場合に動作するモードである。アクセスポイントモードとは、例えばＷｉ−ｆｉ（登録商標）の通信時に外部装置（不図示）がウェアラブルカメラ２をアクセスポイントとして通信の接続の確立を要求する場合にウェアラブルカメラ２がアクセスポイントとして動作するモードである。
【００４６】
コンタクトターミナル３２には、いずれも図示を省略している「充電端子Ｖ＋」、「ＣＯＮ．ＤＥＴ端子」、「データ端子Ｄ−，Ｄ＋」及び「グランド端子」が設けられている。ＣＯＮ．ＤＥＴ端子は、電圧変化を検出するための端子である。データ端子Ｄ−，Ｄ＋は、例えばＵＳＢコネクタ端子ＵＣを介して、ＰＣ１に対してウェアラブルカメラ２で撮像した映像のデータファイルを転送するための端子である。コンタクトターミナル３２は、ＵＳＢ３１を介してＭＣＵ２９に接続され、更に、クレードル（不図示）又は外付けアダプタＡＰのコネクタ（図示略）と接続される。即ち、ウェアラブルカメラ２をクレードル（不図示）又は外付けアダプタＡＰにセットすることで、コンタクトターミナル３２がクレードル（不図示）又は外付けアダプタＡＰのコネクタと接続される。コンタクトターミナル３２とクレードル（不図示）又は外付けアダプタＡＰのコネクタが接続されることで、ウェアラブルカメラ２とＰＣ１との間でデータ通信が可能となる。
【００４７】
撮像部２１は、上述したレンズＬＳの他に、ＣＣＤ（Charge Coupled Device）型イメージセンサ又はＣＭＯＳ（Complementary Metal Oxide Semiconductor）型イメージセンサの固体撮像素子を有し、撮像により得られた映像のデータをＭＣＵ２９に出力する。ＧＰＩＯ２２は、パラレルインタフェースであり、上述した録画ボタンＢ１、スナップショットボタンＢ２、Ｗ−ＬＡＮボタンＢ３及びＬＥＤ５ａ〜５ｃとＭＣＵ２９との間の信号の入出力を行う。
【００４８】
ＲＡＭ２３は、ＭＣＵ２９の動作において使用されるワークメモリである。ＲＯＭ２４は、ＭＣＵ２９を制御するためのプログラム及びデータを予め記憶する。ＳＤメモリ２５は、撮像部２１で撮像して得られた映像のデータを記憶する。ＳＤメモリ２５は、ウェアラブルカメラ２の筐体本体に対して取付け及び取外しが可能である。
【００４９】
ＥＥＰＲＯＭ２６は、ウェアラブルカメラ２を識別する識別番号（シリアル番号）を記憶する。ＲＴＣ２７は、現在の時刻情報をカウントしてＭＣＵ２９に出力する。ＧＰＳ２８は、現在のウェアラブルカメラ２の位置情報をＧＰＳ発信機（不図示）から受信してＭＣＵ２９に出力する。
【００５０】
ＭＣＵ２９は、ウェアラブルカメラ２の各部の動作を全体的に統括するための制御処理、他の各部との間のデータの入出力処理、データの演算（計算）処理及びデータの記憶処理を行い、ＲＯＭ２４に記憶されたプログラム及びデータに従って動作する。ＭＣＵ２９は、動作時には、ＲＡＭ２３を使用するとともに、ＲＴＣ２７より現在の時刻情報を得るとともに、ＧＰＳ２８より現在の位置情報を得る。
【００５１】
また、ＭＣＵ２９は、録画ボタンＢ１，スナップショットボタンＢ２及びＷ−ＬＡＮボタンＢ３の各ボタンの押下の検出を行い、操作があったボタンに対する処理を行う。即ち、ＭＣＵ２９は、録画ボタンＢ１が押下された場合には、撮像部２１から得られた映像のデータを動画像としてＳＤメモリ２５に保存する。また、ＭＣＵ２９は、スナップショットボタンＢ２が押下された場合は、スナップショットボタンＢ２が押されたときの画像データを静止画像としてＳＤメモリ２５に保存する。
【００５２】
また、ＭＣＵ２９は、録画ボタンＢ１が奇数回押下された場合にはＬＥＤ５ａを点灯させ、録画ボタンＢ１が偶数回押下された場合にはＬＥＤ５ａを消灯させる。ＭＣＵ２９は、Ｗ−ＬＡＮボタンＢ３が押下された場合には通信部３０においてＷ−ＬＡＮを用いた無線通信を行わせる。ＭＣＵ２９は、Ｗ−ＬＡＮボタンＢ３が押下された場合にはＬＥＤ５ｃを点灯させるが、通信に関するモードがアクセスポイントモードであれば第１色で点灯させ、ステーションモードであれば第２色で点灯させる。
【００５３】
ＭＣＵ２９は、動画の撮像、静止画の撮像及びＷ−ＬＡＮによる無線通信を行う以外には、ＰＣ１との間でウェアラブルカメラ２の使用者の認証に関わる処理を行う。認証に関わる処理はＰＣ１にて行われる。本実施形態の認証システム１００では、予め警察官に与えられている警官ＩＤ（「Officer ID」）と、その警察官が持ち出したウェアラブルカメラ２で撮像して得られた映像のデータファイルとの関連付けがＰＣ１において行われ、撮像された映像のデータファイルがどのユーザ（例えば警察官）によって行われたものかを容易に把握することができる。
【００５４】
通信部３０は、例えばＯＳＩ（Open Systems Interconnection）参照モデルの第１層である物理層において、通信部３０とＭＣＵ２９との接続を規定し、その規定に従って、Ｗ−ＬＡＮによる無線通信（例えばＷｉ−ｆｉ（登録商標））を行う。ＵＳＢ３１は、シリアルバスであり、ウェアラブルカメラ２のＰＣ１との接続を可能とする。電源部３３は、コンタクトターミナル３２を介してクレードル（不図示）又は外付けアダプタＡＰより供給される電源でバッテリ３４を充電する。バッテリ３４は、ウェアラブルカメラ２の各部に電源を供給する。
【００５５】
図５は、本実施形態の認証システム１００のログイン処理後の動作概要の一例を示す説明図である。図６は、本実施形態の認証システム１００のログアウト処理後の動作概要の一例を示す説明図である。
【００５６】
図５では、パトカーＰＴに設置された車載カメラシステムＩＣ（つまり、車載ビデオレコーダＩＶＲ及びビデオカメラＶＣにより構成）に対し、ＰＣ１を介してユーザである警察官がログインのための入力操作を行い、ログインが許可されると、ＰＣ１は、ログインが許可（認証）された警察官の識別情報を含むログイン情報（図７参照）を生成し、このログイン情報をウェアラブルカメラ２（ＷＣＡＭ）に転送してコピーさせる。
【００５７】
また、ウェアラブルカメラ２とＰＣ１とが接続している状態にユーザである警察官が車載カメラシステムＩＣにログイン中でなくても、ウェアラブルカメラ２とＰＣ１とが接続している状態にログインが行われた場合には、ＰＣ１は、ログインが許可（認証）された警察官の識別情報を含むログイン情報（図７参照）を生成し、このログイン情報をウェアラブルカメラ２（ＷＣＡＭ）に転送してコピーさせてもよい。
【００５８】
図６では、パトカーＰＴに設置された車載カメラシステムＩＣ（つまり、車載ビデオレコーダＩＶＲ及びビデオカメラＶＣにより構成）に対し、ログインが許可（認証）されていたユーザである警察官がログアウトのための入力操作を行うと、ＰＣ１は、ログインが許可（認証）されていた警察官の識別情報を含むログイン情報をウェアラブルカメラ２（ＷＣＡＭ）から削除する。
【００５９】
また、ユーザである警察官がログアウトのための入力操作を行う時にウェアラブルカメラ２とＰＣ１とが接続されていない場合には、ウェアラブルカメラ２は、撮像により得られた映像のデータファイルをサーバ装置ＳＶに対して転送（アップロード）し終えた時に、ログイン中にＰＣ１から転送されたログイン情報を削除する。これにより、ウェアラブルカメラ２は、ウェアラブルカメラ２とＰＣ１とが接続していない状態にＰＣ１がログイン情報を直接に削除できない場合でも、ウェアラブルカメラ２の使用が必要なくなったと想定される時点（例えば映像のデータファイルのアップロード完了時点）には不要のログイン情報を削除することができる。
【００６０】
なお、本実施形態の認証システム１００では、ウェアラブルカメラ２により撮像された映像のデータファイルのサーバ装置ＳＶへの転送（アップロード）は、ウェアラブルカメラ２とＰＣ１との接続が解除された後に、ウェアラブルカメラ２から直接に行われてもよいし、ウェアラブルカメラ２からデータファイルが渡されたＰＣ１により行われてもよい。
【００６１】
次に、本実施形態の認証システム１００のＰＣ１の動作手順について、図８を参照して説明する。図８は、本実施形態のＰＣ１の動作手順の一例を説明するフローチャートである。図８に示すフローチャートの各処理は、例えばユーザである警察官がパトロールの目的で、ウェアラブルカメラ２を持ち出してパトカーＰＴに乗車して出動する際に行われる。
【００６２】
図８において、ＰＣ１はウェアラブルカメラ２と接続するまで待機する（ＳＴ１、ＮＯ）。ＰＣ１とウェアラブルカメラ２とが接続している状態とは、例えばＰＣ１とウェアラブルカメラ２とが有線のケーブルで接続している場合、又はＰＣ１とウェアラブルカメラ２との間で無線通信を実行可能にセッションが確立している場合に該当し、ユーザである警察官がパトカーＰＴに乗車している状態に相当する。ウェアラブルカメラ２がＰＣ１に接続中である場合には（ＳＴ１、ＹＥＳ）、ＣＰＵ１１は、現在、ユーザである警察官がパトカーＰＴに設置された車載カメラシステムＩＣにログイン中であるか否かを判断する（ＳＴ２）。
【００６３】
ＣＰＵ１１は、現在、ユーザである警察官がパトカーＰＴに設置された車載カメラシステムＩＣにログイン中であると判断した場合には（ＳＴ２、ＹＥＳ）、ユーザである警察官の識別情報（即ち、「Officer ID」）を含むログイン情報（図７参照）を、Ｉ／Ｏ制御部１２及び通信部１３を介して、ウェアラブルカメラ２に転送してコピーさせる（ＳＴ３）。この場合、ウェアラブルカメラ２は、ＰＣ１から転送されたログイン情報を受信してＲＡＭ２３又はＳＤメモリ２５にコピー（上書き）する。
【００６４】
なお、ステップＳＴ３では、ＣＰＵ１１は、一度ウェアラブルカメラ２に転送してコピーさせたログイン情報と同一のログイン情報を再度ウェアラブルカメラ２に転送してコピーさせる処理は行わない。言い換えると、ＰＣ１とウェアラブルカメラ２との接続が継続しており、ユーザである警察官の車載カメラシステムＩＣへのログインが継続している場合には、同じログイン情報を上書きするだけになるため、ＣＰＵ１１はステップＳＴ３の処理を省略してもよい。
【００６５】
一方、ＣＰＵ１１は、現在、ユーザである警察官がパトカーＰＴに設置された車載カメラシステムＩＣにログイン中ではない（言い換えると、ログアウトした）と判断した場合には（ＳＴ２、ＮＯ）、ログイン情報をウェアラブルカメラ２に転送せず、ウェアラブルカメラ２に以前のログイン情報が記憶されている場合には、そのログイン情報を削除する（ＳＴ４）。
【００６６】
ステップＳＴ３又はステップＳＴ４の後、ＣＰＵ１１は、ＰＣ１とウェアラブルカメラ２との接続が解除したか否かを判断する（ＳＴ５）。ＰＣ１とウェアラブルカメラ２との接続が解除したと判断された場合には（ＳＴ５、ＹＥＳ）、ＰＣ１の動作は終了する。一方、ＰＣ１とウェアラブルカメラ２との接続が解除していないと判断された場合には（ＳＴ５、ＮＯ）、ＰＣ１の動作はステップＳＴ２に戻る。
【００６７】
なお、ステップＳＴ５においてＰＣ１とウェアラブルカメラ２との接続が解除した場合には、ウェアラブルカメラ２は、所定のタイミングにて、映像の撮像を開始する。言い換えると、ウェアラブルカメラ２は、ＰＣ１と接続されている間（例えば警察官がパトカーＰＴに乗車している間）には、映像の撮像を開始せずに、ＰＣ１との接続が解除された後（例えば警察官が現場に到着してＰＣ１との接続を解除操作した後）には映像の撮像を開始する。
【００６８】
ここで映像の撮像を開始するための所定のタイミングとは、例えばウェアラブルカメラ２とＰＣ１とがチャージングケーブル（不図示）で接続されていた状態からその接続が解除された時点、録画ボタンＢＴ１が警察官により押下された時点、一旦出動したパトカーＰＴの運転席のドアが開いた時点、又は一旦出動したパトカーＰＴが停車してエンジンがオフ状態となった時点のいずれかである。ウェアラブルカメラ２は、例えば警察官が録画ボタンＢＴ１を再度押下した場合に、映像の撮像を終了する。
【００６９】
ウェアラブルカメラ２は、撮像により得られた映像のデータのヘッダ領域にログイン情報を付与して映像のデータファイルを生成し、又は、撮像により得られた映像のデータファイルと映像に関するメタデータとしてログイン情報（図７参照）を含むメタファイルとを対応付けて映像のデータファイルを生成する。また、このデータファイルの生成は、撮像と同時または撮影終了直後に行われる。ウェアラブルカメラ２は、映像のデータファイルを生成した後、ユーザである警察官の所定の入力操作により、映像のデータファイルをサーバ装置ＳＶに転送（アップロード）する。
【００７０】
ここで、データファイルの生成のタイミングについて詳細に説明する。データファイルの生成をいつでも可能にしておくと、例えば、ユーザのログイン情報が変更された後にデータファイルが作成される可能性があり、誰が撮影したか分からない可能性がある。そのため、上記のように本実施形態では、このデータファイルの生成は、撮像と同時又は撮影終了の直後に行うようにし、映像を撮像したユーザに確実に紐付けられるようにしている。
【００７１】
以上により、本実施形態の認証システム１００では、本発明に係る認証装置の一例としてのＰＣ１は、ユーザ（例えば警察官）の所定の車載システム（例えばパトカーに設置された車載カメラシステムＩＣ）へのログインを認証し、ログインが認証されたユーザの識別情報（例えば「Officer ID」）を含むログイン情報をメモリ１４において保存する。また、ＰＣ１は、ユーザが所定の車載システム（例えば車載カメラシステムＩＣ）にログイン中である場合に、メモリ１４に保存されるログイン情報を、ユーザが装着可能なウェアラブルカメラ２に転送してコピーさせ、一方、ユーザが所定の車載システム（例えば車載カメラシステムＩＣ）にログインしていない場合には、ログイン情報をウェアラブルカメラ２に転送しない。
【００７２】
これにより、本実施形態の認証システム１００では、ＰＣ１は、ウェアラブルカメラ２により映像の撮像が開始される前に、車載システムにログインしたユーザのログイン情報をウェアラブルカメラ２に転送してコピーさせるので、ウェアラブルカメラ２において撮像された映像と映像を撮像したユーザとの関係性を明確に保証することができる。また、ＰＣ１は、映像を撮像したユーザが誰であるかを第三者に対して的確に示すことができる。
【００７３】
また、本実施形態の認証システム１００では、ＰＣ１は、ユーザの所定の車載システム（例えば車載カメラシステムＩＣ）からのログアウト、又はウェアラブルカメラ２が撮像した映像データのサーバ装置ＳＶへの転送（アップロード）の終了に応じて、メモリ１４に保存されるログイン情報を削除する。これにより、ユーザの車載システム（例えば車載カメラシステムＩＣ）からのログアウトや、ウェアラブルカメラ２の映像データの転送終了により、ウェアラブルカメラ２が使用される必要が無くなると考えられるので、ＰＣ１は、ユーザのログイン情報は必要なくなり、次回のウェアラブルカメラ２の使用時に備えて不要なログイン情報を削除することができる。
【００７４】
また、本実施形態の認証システム１００では、ＰＣ１は、ユーザの所定の車載システム（例えば車載カメラシステムＩＣ）へのログイン情報がメモリ１４に保存されていない場合には、ウェアラブルカメラ２に撮像を禁止させたり、ウェアラブルカメラ２が撮像した映像データのサーバ装置ＳＶへの転送をウェアラブルカメラ２に禁止させたりする。これにより、ＰＣ１は、ウェアラブルカメラ２が撮像した映像データがどのユーザ（例えば警察官）により撮像されたかの判別ができない状態を回避することができ、ウェアラブルカメラ２における撮像開始前又は撮像後でもサーバ装置ＳＶへの転送前に、例えばユーザ自身のログイン情報を映像データに対応付ける処理の必要性をユーザに対して促すことができる。
【００７５】
また、本実施形態の認証システム１００では、ウェアラブルカメラ２は、ＰＣ１から転送されたログイン情報を受信した後、ユーザの所定の入力操作に応じて、映像の撮像を開始する。これにより、ウェアラブルカメラ２は、映像の撮像を開始する前に、ＰＣ１から転送されたログイン情報に含まれるユーザの識別情報（例えば「Officer ID」）を用いて、映像データがどのユーザにより撮像されたかの関連付けを明確に行うことができる。
【００７６】
また、本実施形態の認証システム１００では、ウェアラブルカメラ２は、撮像された映像のデータファイル（例えばヘッダ領域）にログイン情報を付与するので、単一の映像のデータファイルにより、映像データがどのユーザにより撮像されたかの関連付けを明確に行うことができる。
【００７７】
また、本実施形態の認証システム１００では、ウェアラブルカメラ２は、撮像された映像のデータファイルと映像に関するメタデータとしてログイン情報を含むメタファイルとを対応付けて生成するので、対応付されたデータファイルにより、映像データがどのユーザにより撮像されたかの関連付けを明確に行うことができる。
【００７８】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７９】
上述した本実施形態では、パトカーＰＴに乗車する警察官を１人と想定して説明したが、複数人（例えば２人）が乗車することも想定可能である。この場合には、２人の警察官は、各自が使用するウェアラブルカメラ２をＰＣ１に接続した上で車載カメラシステムＩＣにログインすることになる。つまり、ＰＣ１は、２種類の警察官のログイン情報をメモリ１４において保存しており、各警察官のログイン情報を該当するウェアラブルカメラ２に転送してコピーさせる必要がある。
【００８０】
例えば、有線（例えばＵＳＢ）で２個のウェアラブルカメラ２とＰＣ１とが接続されている場合には、ＰＣ１のＣＰＵ１１は、先に接続完了したウェアラブルカメラ２に対し、運転席の警察官（メインのログイン画面にログインした人）のログイン情報を優先的に転送してコピーさせ、後に接続完了したウェアラブルカメラ２に対し、助手席の警察官（サブのログイン画面にログインした人）のログイン情報を転送してコピーさせる。また、カメラのシリアル番号やユーザの操作等により、接続される２つのウェアラブルカメラ２の優先度を決定し、優先度の高いウェアラブルカメラ２に運転席の警察官のログイン情報をコピーさせ、優先度の低いウェアラブルカメラ２に助手席の警察官のログイン情報をコピーさせる。また、２つのウェアラブルカメラ２の両方に２人のログイン情報をコピーさせ、ウェアラブルカメラ２のユーザにいずれかを選択させるようにしてもよい。
【００８１】
また、例えば無線で２個のウェアラブルカメラ２とＰＣ１とが接続されている場合には、上述したように優先度を利用したり、ユーザに選択せさたりしてもよい。
【００８２】
図４（Ｃ）は、本実施形態のウェアラブルカメラ２の筐体を載置する外付けアダプタＡＰの筐体の外観の一例を示す図である。図４（Ｃ）に示す外付けアダプタＡＰは、無線通信（例えばBluetooth（登録商標））が可能なチップが内蔵されており、ＰＣ１との間の無線通信が途絶えると、外付けアダプタＡＰに載置されているウェアラブルカメラ２は、自動で録画（撮像）を開始する。Bluetooth（登録商標）の通信方式は、Wi-fi（登録商標）の通信方式に比べて、例えば１０数メートルと通信距離が短いので、警察官がパトカーＰＴを離れるとすぐに自動で録画（撮像）を開始することができるので、ウェアラブルカメラ２の利便性を向上することができる。
【００８３】
また、図４（Ｃ）に示す外付けアダプタＡＰは、ウェアラブルカメラ２の各部に電源を供給可能なバッテリ（不図示）を備えてもよいし、ウェアラブルカメラ２の保護ケースとして用いてもよい。
【００８４】
また、無線通信（例えばBluetooth（登録商標））が可能なチップは、ウェアラブルカメラ２の固定具（例えば警察官の制服に引っ掛けるためのクリップ）に内蔵されてもよいし、ウェアラブルカメラ２に内蔵されてもよい。
【００８５】
また、ウェアラブルカメラ２は、緊急時の対応のために、所定の優先度が付与された重要な映像のデータファイルから優先的にサーバ装置ＳＶに転送（アップロード）してもよい。ウェアラブルカメラ２は、所定の優先度として例えばＰＣ１を介して入力された映像のデータファイルに関する事件番号（Case File Number）又は分類（Classify）を参照し、特定の事件番号又は分類に該当する映像のデータファイルを転送（アップロード）する。また、優先度が付与されていない場合には、ウェアラブルカメラ２は、撮像された時間帯が古い映像のデータファイルから順にサーバ装置ＳＶに転送（アップロード）する。
【産業上の利用可能性】
【００８６】
本発明は、撮像された映像と映像を撮像したユーザとの関係性を明確にすることができ、映像を撮像したユーザが誰であるかを第三者に対して的確に示す車載カメラシステムへのログイン認証装置、及びログイン認証方法として有用である。
【符号の説明】
【００８７】
１  ＰＣ
２  ウェアラブルカメラ（ＷＣＡＭ）
５ａ、５ｂ、５ｃ  ＬＥＤ
１１  ＣＰＵ
１２  Ｉ／Ｏ制御部
１３、３０  通信部
１４  メモリ
１５  入力部
１６  表示部
１７  スピーカ
２１  撮像部
２２  ＧＰＩＯ
２３  ＲＡＭ
２４  ＲＯＭ
２５  ＳＤメモリ
２６  ＥＥＰＲＯＭ
２７  ＲＴＣ
２８  ＧＰＳ
２９  ＭＣＵ
３１  ＵＳＢ
３２  コンタクトターミナル
３３  電源部
３４  バッテリ
１００  認証システム
Ｂ１  録画ボタン
Ｂ２  スナップショットボタン
Ｂ３  Ｗ−ＬＡＮボタン
ＩＶＲ  車載ビデオレコーダ
ＬＳ  レンズ
ＶＣ  ビデオカメラ
【要約】
【課題】撮像された映像と映像を撮像したユーザとの関係性を明確にし、映像を撮像したユーザが誰であるかを第三者に対して的確に示す。
【解決手段】認証装置は、車載システムとの間、又はユーザが装着可能な撮像装置との間で通信する通信部と、車載システムを操作するためのユーザのログインを認証する認証部と、ログインが認証されたユーザの識別情報を含むログイン情報を保存する記憶部と、を備え、通信部は、ユーザが車載システムにログイン中である場合に、記憶部に保存されるログイン情報を撮像装置に転送してコピーさせ、ユーザが所定の車載システムにログインしていない場合に、ログイン情報を撮像装置に転送しない。
【選択図】図８【図１】
0005842103.tif 000002
【図２】
0005842103.tif 000003
【図３】
0005842103.tif 000004
【図４】
0005842103.tif 000005
【図５】
0005842103.tif 000006
【図６】
0005842103.tif 000007
【図７】
0005842103.tif 000008
【図８】
0005842103.tif 000009
【図９】
0005842103.tif 000010